【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
患者情報に関連付けられた複数の病理画像データと、前記患者情報にアクセス可能な他の第１の情報処理装置と前記病理画像データにアクセス可能で前記患者情報にアクセス不可能な他の第２の情報処理装置との対応関係を示す対応関係情報とを記憶する記憶部と、
通信部と、
前記他の第１の情報処理装置から、所定の患者情報を基に検索された第１の病理画像データの第１の表示要求を受信するように前記通信部を制御し、
前記対応関係情報を基に、前記第１の表示要求を送信した前記他の第１の情報処理装置に対応する前記他の第２の情報処理装置がアクセス可能で前記第１の病理画像データを含む第１の仮想フォルダを生成する
ことが可能な制御部と
を具備する情報処理装置。
【請求項２】
請求項１に記載の情報処理装置であって、
前記制御部は、前記第１の仮想フォルダを展開するように要求する展開要求を前記他の第２の情報処理装置へ送信するように前記通信部を制御する
情報処理装置。
【請求項３】
請求項２に記載の情報処理装置であって、
前記制御部は、前記第１の仮想フォルダを展開して所定の病理画像データを表示するように要求する展開表示要求を前記他の第２の情報処理装置へ送信するように前記通信部を制御する
情報処理装置。
【請求項４】
請求項１〜３のいずれかに記載の情報処理装置であって、
前記制御部は、
前記第１の表示要求の受信後、前記他の第１の情報処理装置から、所定の患者情報を基に検索された第２の病理画像データの第２の表示要求を受信するように前記通信部を制御し、
前記他の第２の情報処理装置がアクセス可能で前記第２の病理画像データを含む第２の仮想フォルダを、前記第１の仮想フォルダと同じ階層に生成する
情報処理装置。
【請求項５】
請求項４に記載の情報処理装置であって、
前記第１の仮想フォルダ及び前記第２の仮想フォルダはそれぞれ、複数の第１の病理画像データ及び複数の第２の病理画像データを有し、
前記制御部は、
仮想フォルダを表示する第１の画面と、前記仮想フォルダ内の１つの病理画像データを、当該仮想フォルダ内の全ての病理画像データのサムネイルリストと共に表示する第２の画面とを前記他の第２の情報処理装置に選択的に表示させることが可能であり、
前記他の第２の情報処理装置において前記第２の画面が表示されている状態で前記第２の表示要求が受信された場合に、前記第１の仮想フォルダに対応する前記第１の病理画像データ及び第１のサムネイルリストに代わり、前記第２の仮想フォルダに対応する前記第２の病理画像データ及び第２のサムネイルリストを表示するように前記他の第２の情報処理装置を制御する
情報処理装置。
【請求項６】
請求項４または５に記載の情報処理装置であって、
前記第１の仮想フォルダ及び前記第２の仮想フォルダはそれぞれ、複数の第１の病理画像データ及び複数の第２の病理画像データを有し、
前記制御部は、
仮想フォルダを表示する第１の画面と、前記仮想フォルダ内の１つの病理画像データを、当該仮想フォルダ内の全ての病理画像データのサムネイルリストと共に表示する第２の画面とを前記他の第２の情報処理装置に選択的に表示させることが可能であり、
前記他の第２の情報処理装置において前記第２の画面が表示されている状態で、前記他の第２の情報処理装置から所定の操作入力を通知する操作通知情報が受信された場合に、前記第１の仮想フォルダから前記第２の仮想フォルダへ移動することを通知する画像を表示すると共に、前記第１の仮想フォルダに対応する前記第１の病理画像データ及び第１のサムネイルリストに代わり、前記第２の仮想フォルダに対応する第２の病理画像データ及び第２のサムネイルリストを表示するように前記他の第２の情報処理装置を制御する
情報処理装置。
【請求項７】
請求項１〜６のいずれかに記載の情報処理装置であって、
前記制御部は、
前記第１の表示要求の受信後、前記他の第１の情報処理装置から、前記第１の病理画像データの削除要求を受信するように前記通信部を制御し、
前記削除要求に基づいて、前記第１の仮想フォルダを削除し、
前記削除を通知する通知情報を前記他の第２の情報処理装置へ送信するように前記通信部を制御する
情報処理装置。
【請求項８】
請求項４〜６のいずれかに記載の情報処理装置であって、
前記制御部は、
前記第１の仮想フォルダが展開されている場合に、前記他の第１の情報処理装置から、前記第１の病理画像データの削除要求を受信するように前記通信部を制御し、
前記削除要求に基づいて、前記第１の仮想フォルダを削除し、
前記第２の仮想フォルダを展開するように要求する展開要求を前記他の第２の情報処理装置へ送信するように前記通信部を制御する
情報処理装置。
【請求項９】
請求項１〜８のいずれかに記載の情報処理装置であって、
前記制御部は、前記他の第２の情報処理装置からの所定の検索条件に合致する第３の病理画像データの第３の表示要求を受信するように前記通信部を制御し、
前記第３の表示要求に基づいて、第３の病理画像データを有する第３の仮想フォルダを、前記第１の仮想フォルダと同じ階層に生成する
情報処理装置。
【請求項１０】
患者情報にアクセス可能な他の第１の情報処理装置から、所定の患者情報を基に検索された病理画像データの表示要求を受信し、
前記病理画像データにアクセス可能で前記患者情報にアクセス不可能な他の第２の情報処理装置であって、前記表示要求を送信した前記他の第１の情報処理装置に対応付けられた他の第２の情報処理装置を特定し、
前記他の第２の情報処理装置がアクセス可能で、前記病理画像データを含む仮想フォルダを生成する
情報処理方法。
【請求項１１】
情報処理装置に、
患者情報にアクセス可能な他の第１の情報処理装置から、所定の患者情報を基に検索された病理画像データの表示要求を受信するステップと、
前記病理画像データにアクセス可能で前記患者情報にアクセス不可能な他の第２の情報処理装置であって、前記表示要求を送信した前記他の第１の情報処理装置に対応付けられた他の第２の情報処理装置を特定するステップと、
前記他の第２の情報処理装置がアクセス可能で、前記病理画像データを含む仮想フォルダを生成するステップと、
を実行させるプログラム。
【手続補正２】
【補正対象書類名】明細書
【補正対象項目名】００１１
【補正方法】変更
【補正の内容】
【００１１】
これにより情報処理装置は、他の第２の情報処理装置のユーザにフォルダを展開する操作を強いることなく、検索結果の病理画像データを他の第２の情報処理装置に表示させることができる。
【手続補正３】
【補正対象書類名】明細書
【補正対象項目名】００１５
【補正方法】変更
【補正の内容】
【００１５】
これにより情報処理装置は、患者情報に基づく検索が連続的に実行された場合に、以前の検索結果としての仮想フォルダと同じユーザインタフェース上で他の仮想フォルダを他の第２の情報処理装置に表示させることができる。
【手続補正４】
【補正対象書類名】明細書
【補正対象項目名】００２０
【補正方法】変更
【補正の内容】
【００２０】
上記制御部は、上記第１の表示要求の受信後、上記他の第１の情報処理装置から、上記第１の病理画像データの削除要求を受信するように上記通信部を制御し、上記削除要求に基づいて、上記第１の仮想フォルダを削除し、上記削除を通知する通知情報を上記他の第２の情報処理装置へ送信するように上記通信部を制御してもよい。
【手続補正５】
【補正対象書類名】明細書
【補正対象項目名】００３１
【補正方法】変更
【補正の内容】
【００３１】
同図に示すように、本システムは、例えば病院内のネットワークとして構成されており、ＰＡＣＳサーバ１００、ＬＩＳサーバ２００、ＰＡＣＳクライアント端末３００及びＬＩＳクライアント端末４００を有する。同図では、ＰＡＣＳクライアント端末３００及びＬＩＳクライアント端末４００はそれぞれ１台ずつ示されているが、これらは複数存在し得る。
【手続補正６】
【補正対象書類名】明細書
【補正対象項目名】００９２
【補正方法】変更
【補正の内容】
【００９２】
図８に示した状態から、ＬＩＳクライアント端末４００から新たに、ＩＤとして"\検索結果1"、スライドとして"\dir0/dir1/slide12"及び"\dir0/dir2/dir3/slide30"の２枚が指定されたCreate コマンドが発行されると、フォルダ構造は図１１に示すようになる。
【手続補正７】
【補正対象書類名】明細書
【補正対象項目名】０１０７
【補正方法】変更
【補正の内容】
【０１０７】
Sticky Noteフォルダ１６２以下は、スライドに付けた付箋の色毎に仮想フォルダが作成される。この例では、スライド10にピンクの付箋が、スライド20にブルーの付箋がそれぞれ付けられており、それぞれ仮想フォルダ１６４、１６５以下に各スライドへのポインタが配置されている。他にグリーンの付箋も貼付可能だが、この例では対象のスライドが無いため、それに応じた仮想フォルダも存在しない。